(57)【要約】【課題】愛玩動物に対して容易で安全な食事環境を構成し、愛玩動物が頭の角度調整を大きく行うことなく自然な体勢で食事可能な愛玩動物用給餌台を提供することを目的とする。【解決手段】二枚の側板と、二本の梁と、棚板と、を具備して構成され、前記二枚の側板を対向させつつ立設させ、双方の高さを異にしつつ前記二本の梁で前記二枚の側板を接続し、前記二本の梁の上に前記棚板を着脱可能に配設されていること、を特徴とする愛玩動物用給餌台。【選択図】図１
2019097407.tif 000002
【特許請求の範囲】
【請求項１】
二枚の側板と、
二本の梁と、
棚板と、を具備して構成され、
前記二枚の側板を対向させて立設させ、双方の高さを異にしつつ前記二本の梁で前記二枚の側板を接続し、前記二本の梁の上に前記棚板を着脱可能に配設されていること、
を特徴とする愛玩動物用給餌台。
【請求項２】
前記棚板が前方係止部及び後方係止部を備え、前記前方係止部及び前記後方係止部がそれぞれ前記二本の梁に係合可能であること、
を特徴とする請求項１に記載の愛玩動物用給餌台。
【請求項３】
前記二枚の側板間における前記二本の梁の接続位置が、それぞれ高さ調整自在であること、
を特徴とする請求項１又は２に記載の愛玩動物用給餌台。
【請求項４】
前記棚板が表面に樹脂製の滑り止めを有すること、
を特徴とする請求項１〜３のいずれかに記載の愛玩動物用給餌台。
【請求項５】
前記二本の梁それぞれの高さ位置の差が、１０ｍｍ〜１００ｍｍの範囲であること、
を特徴とする請求項１〜４のいずれかに記載の愛玩動物用給餌台。
【発明の詳細な説明】
【技術分野】
【０００１】
本発明は、愛玩動物が餌を容易に摂取でき、取扱性にも優れる愛玩動物用給餌台に関する。
【０００２】
従来、犬や猫等の愛玩動物に給餌する際には、餌を給餌用の器等に入れ、当該器を床面に配設して与えるのが一般的である。しかし、近年では愛玩動物の給餌時における姿勢が当該愛玩動物の健康に大きく影響を及ぼすことが認知されてきており、例えば、食道の位置を鑑みると、頭を下げて餌を摂取すると、餌が胃にまで到達しにくく、嘔吐を派生する可能性がある。
【０００３】
特許文献１（特開２００８−１７８３３７号公報）には、愛玩動物の各個体の大きさ、種類、月齢、健康状態などの各個体の状況に応じて適切な食物摂取姿勢を可能にするペット用給餌台が開示されている。また、特許文献２（特開２０１７−１４３７４９号公報）には、器を載置するための台座の高さを容易に変更することができ、一つの食事台で、複数の愛玩動物に給餌可能な食事台が開示されている。
【先行技術文献】
【特許文献】
【０００４】
【特許文献１】特開２００８−１７８３３７号公報
【特許文献２】特開２０１７−１４３７４９号公報
【発明の概要】
【発明が解決しようとする課題】
【０００５】
しかしながら、従来の給餌台では、器の高さを調整して愛玩動物の頭の高さの無理な変更を緩和できるものの、器自体の配設角度を変更することはできず、愛玩動物は頭の角度を下方に変更する必要があった。頭の角度を下方に向けて餌を摂取すると、餌を食道に到達させるために強く飲み込む力を必要とし、愛玩動物に対して容易で安全な食事環境を提供できているとは言えなかった。
【０００６】
そこで、従来の愛玩動物用給餌台の構造に着目すると、器の配設高さの調整機構のみで角度そのものを変更調整可能な機構を有していないのは明らかであって、未だ改善の余地があった。
【０００７】
本発明は、上記問題に鑑みて創作されたものであり、愛玩動物に対して容易で安全な食事環境を構成し、愛玩動物が頭の角度調整を大きく行うことなく自然な体勢で食事可能な愛玩動物用給餌台を提供することを目的とする。
【課題を解決するための手段】
【０００８】
上記の課題を解決すべく、本発明は、
二枚の側板と、
二本の梁と、
棚板と、を具備して構成され、
前記二枚の側板を対向させて立設させ、双方の高さを異にしつつ前記二本の梁で前記二枚の側板を接続し、前記二本の梁の上に前記棚板を着脱可能に配設されていること、
を特徴とする愛玩動物用給餌台を提供する。
【０００９】
このような構成を有する本発明の愛玩動物用給餌台は、例えば犬や猫等における愛玩動物の給餌に用いるための飼育具であり、一般的な給餌用食器を傾斜配置可能（床面に対して水平配置も可能）で、愛玩動物が餌を容易に摂取でき、取扱性にも優れた給餌台を構成することができる。より具体的には、二本の梁が高さを異にして配設でき、これに伴って棚板を傾斜させて配設可能なため、給餌用食器と、当該給餌用食器内に入れた餌と、が同様に手前側に寄り、愛玩動物が頭の角度調整を大きく行う必要なく、自然な体勢で食事を行うことができる。愛玩動物が自然な体勢で食事を行えるため、餌が食道から胃内にスムーズに移送され、例えば嘔吐等を抑制することができる。
【００１０】
また、本発明の愛玩動物用給餌台については、
前記棚板が前方係止部及び後方係止部を備え、前記前方係止部及び前記後方係止部がそれぞれ前記二本の梁に係合可能であることが望ましい。
【００１１】
このような構成を有する本発明の愛玩動物用給餌台は、棚板を上方から下方に降下させ、係止部を二本の梁に接近させて双方の梁に係合させるのみで簡便に配設することができる。
【００１２】
また、本発明の愛玩動物用給餌台については、
前記二枚の側板間における前記二本の梁の接続位置が、それぞれ高さ調整自在であることが望ましい。
【００１３】
このような構成を有する本発明の愛玩動物用給餌台は、愛玩動物の身体サイズや、体高に応じ梁の固定位置を変更することで、給餌を容易に行える環境を提供することができる。更に、愛玩動物の成長に応じて適宜調整を行うことができるため、本愛玩動物用給餌台を長期間使用することができる。
【００１４】
また、本発明の愛玩動物用給餌台については、
前記棚板が表面に樹脂製の滑り止めを有することが望ましい。
【００１５】
このような構成を有する本発明の愛玩動物用給餌台は、梁との係合状態を好適に維持することができる。また、棚板単体を床面等に置いた際、この滑り止めが床面に当接してグリップ力が向上するため、棚板単体を床面に配置して給餌を行うことも可能となる。
【００１６】
また、本発明の愛玩動物用給餌台については、更に、
二本の前記梁それぞれの高さ位置の差が、１０ｍｍ〜１００ｍｍの範囲であることが望ましい。
【００１７】
このような構成を有する本発明の愛玩動物用給餌台は、二本の梁それぞれの高さ位置の差を上記範囲内とすることで、愛玩動物の身体のサイズに応じて棚板の高さをより微調整することができる。
【発明の効果】
【００１８】
本発明によれば、愛玩動物に対して容易で安全な食事環境を構成し、愛玩動物が頭の角度調整を大きく行うことなく自然な体勢で食事可能な愛玩動物用給餌台を提供することができる。
【図面の簡単な説明】
【００１９】
【図１】本実施形態における愛玩動物用給餌台１の概要を説明する斜視図である。
【図２】図１における側板３の構造を示す正面図である。
【図３】図１における梁５の構造を示す図であって、図５（ａ）は、梁５の長手方向を正面から見た側面図であり、図５（ｂ）は、梁５の径方向を正面から見た正面図である。
【図４】図１における棚板７の構造を示す図であって、図４（ａ）は、棚板７の平面図であり、図４（ｂ）は、図４（ａ）に示す矢視Ａの断面図である。
【図５】図１における棚板７の底面の構造を示す図であって、図５（ａ）は、棚板７の底面を示す底面図であり、図５（ｂ）は、棚板７に対するゴム脚２７と滑り止め２５との固定構造を示す断面図である。
【図６】本実施形態における愛玩動物用給餌台１の組み立て方法を説明する模式図である。
【図７】本実施系形態における愛玩動物用給餌台１の使用方法を示す図であって、図７（ａ）は、棚板７を床面に対して傾斜配設した状態の断面図であり、図７（ｂ）は、棚板７を床面に対して水平配置した状態の断面図である。
【図８】図１における棚板７を傾斜した際の給餌用食器５１と餌５５との寄りを示す模式図である。
【発明を実施するための形態】
【００２０】
以下、図１〜８を参照しながら、本発明の愛玩動物用給餌台１における代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２１】
１．愛玩動物用給餌台１の概要
図１を用いて本実施形態における愛玩動物用給餌台１の概要について説明する。図１は、本実施形態の愛玩動物用給餌台１の概要を説明する斜視図である。図１に示すとおり、愛玩動物用給餌台１は、例えば犬や猫等における愛玩動物の給餌に用いるための飼育具であって、一般的な給餌用食器５１を傾斜配置可能で、愛玩動物が餌を容易に摂取でき、取扱性にも優れた特徴を有するものである。
【００２２】
本実施形態の愛玩動物用給餌台１は、概ね本体を支持する二枚の側板３と、二枚の側板３双方を対向させつつ固定する二本の梁５と、二本の梁５の上方に当接配置する棚板７と、から構成されている。本実施形態では省略しているが、意匠性を向上するための装飾や愛玩動物の興味を引くための部品等を適宜加えて構成してもよい。
【００２３】
なお、本明細書においては、図１に示すとおり、本実施形態では床面に対して略鉛直方向を縦方向Ｙ、梁５の長手方向を横方向Ｘ、二本の梁５が対向する方向を奥行方向Ｚとして種々の説明を行う。
【００２４】
２．愛玩動物用給餌台１の構造
＜側板３の構造＞
次に図２を用いて側板３の構造について詳細に説明する。図２は、側板３の構造を示す正面図である。本実施形態で用いる棚板３は、上述のとおり本愛玩動物用給餌台１を左右で支持する二枚の板であって、双方が対向した状態で後述する二本の梁５に接続され、床面に立設する部品である。
【００２５】
側板３は例えば木材や樹脂を用いて形成された略矩形の板部品であり、後述する梁５を固定するための梁固定用孔９と、使用者が手を掛けて把持するための把持孔１１と、床面に直接当接して滑り止めの作用を発揮する滑り止めゴム１３と、を具備している。
【００２６】
梁固定用孔９は、上述のとおり側板３と梁５とを固定するため、板厚方向に貫通する孔であって、固定用ビス５３（図６参照）を所定のクリアランスを控えて挿通可能な直径で形成されている。また、この梁固定用孔９は、縦方向Ｙに対して略直線的に複数個を並べて配設しており、隣り合う孔同士の離間距離Ｌ２を１０ｍｍ〜１００ｍｍの範囲で設定することが好ましい。離間距離Ｌ２を当該範囲とすることで、二本の梁５それぞれの縦方向Ｙ（高さ）の配設位置の差が、離間距離Ｌ２と同様の差となり、後述する棚板７を好適に傾斜させることができる。
【００２７】
なお、上述のとおり二本の梁５を側板３に固定するため、縦方向Ｙに並べた梁固定用孔９複数個が二組必要となる。このため、双方の梁固定用孔９複数個の組を、離間距離Ｌ１を配して側板３の左右（奥行方向Ｚ）に配設している。離間距離Ｌ１は、後述する棚板７の奥行方向Ｚの寸法に応じて決定することが好ましい。
【００２８】
把持孔１１は、使用者が手を挿入して側板３を把持し、本実施形態の愛玩動物用給餌台１を運搬等するための孔であって、本実施形態では長円形状に形成している。把持孔１１の配設位置は、本実施形態の愛玩動物用給餌台１を把持した際により安定したバランスで持ち上げられるよう、側板３の略中心かつ上方とすることが望ましい。
【００２９】
滑り止めゴム１３は、例えばシリコンゴム等を用いて形成されたシート状の部品であて、側板３の底面に貼り付けられている。滑り止めゴム１３により、側板３と床面とのグリップが向上し、床面に配設後における本愛玩動物用給餌台１の滑りを好適に抑制することができる。
【００３０】
なお、本実施形態で用いる側板３は、意匠性を向上するために略愛玩動物の形状を付与いているが、これに限定されるものではなく、同様の基本的構造を備えたものであればよい。なお、図２に記載している梁固定用孔９の離間距離Ｌ７は、後述する棚板７の構造及び係合の説明を行う際に用いる。
【００３１】
＜梁５の構造＞
続いて、図３（ａ）及び（ｂ）を用いて梁５の構造について詳細に説明する。図３（ａ）及び（ｂ）は、梁５の構造を示す図であって、図５（ａ）は、梁５の長手方向を正面から見た側面図であり、図５（ｂ）は、梁５の径方向を正面から見た正面図である。梁５は、上述のとおり二枚の側板３を接続しつつ後述する棚板７を支持する部品である。
【００３２】
図３（ａ）及び（ｂ）に示すとおり、梁５は例えば木材等で形成された略棒状の部品であって、上述した二枚の側板３を接続可能な構造を備えている。本実施形態で用いる梁５の断面は略円形であって、側板３との固定の際に回転しても方向性が変わることがない。
【００３３】
また、図３（ｂ）に示すとおり、双方の木口には側板３を挟持固定する固定用ビス５３を螺子勘合するビス孔２１が備わっている。なお、梁５の長さＬ３は、後述する棚板７の横方向Ｘの寸法に応じて決定することが好ましい。
【００３４】
＜棚板７の構造＞
次に、図４（ａ）及び（ｂ）を用いて棚板７の構造について詳細に説明する。図４（ａ）及び（ｂ）は、棚板７の構造を示す図であって、図４（ａ）は、棚板７の平面図であり、図４（ｂ）は、図４（ａ）に示す矢視Ａの断面図である。棚板７は、上述の側板３及び梁５で構成した棚に配設し、愛玩動物に与える餌の器となる給餌用食器５１を配膳するものである。
【００３５】
図４（ａ）及び（ｂ）に示すとおり、棚板７は樹脂等で形成された略矩形の板状部品であって、奥行方向Ｚの両端（前方と後方）で、横方向Ｘに延びかつ互いが並行に配置される係止部２３が備わっている。この係止部２３の双方の係止部２３の離間距離Ｌ５及び溝幅Ｌ６は、上述した梁５のサイズ（直径寸法）と、側板３が備える梁固定用孔９の離間距離Ｌ１及び離間距離Ｌ７（図２参照）と、に応じて決定することが望ましく、係合時に適度なクリアランスを備えて双方の係合を容易にすることが好ましい。
【００３６】
また、棚板７は平滑な配膳面１７を備え、この配膳面１７を横方向Ｘの両端と、奥行方向Ｚの両端と、の表面に形成された縁部１５によって囲んでいる。そして、両端の２つの縁部１５のうちの一方の縁部１５には、更に上方に凸状に連続して一体的に形成された堤部１５Ａが設けられている。なお、横方向Ｘの両端に位置する縁部１５には、使用者が棚板７を把持するための把持部１９が備わっている。
【００３７】
棚板７の横方向Ｘの長さＬ４は、愛玩動物の体長等に応じて決定することが望ましく、より具体的には、愛玩動物に与える餌の量に応じて形成された給餌用食器５１が所定の余裕を持ちつつ配膳可能な寸法とすることが望ましい。
【００３８】
上記配膳面１７の表面には、例えばシリコンゴム等の樹脂材料で形成された略円形の滑り止め２５が複数個、所定の間隔及びパターンで備わっており、これらの滑り止め２５が給餌用食器５１の底面等に当接することにより、給餌中に愛玩動物の動作で給餌用食器５１が移動することを好適に抑制することができる。
【００３９】
本実施形態では上記滑り止め２５を奥行方向Ｚ双方に対して等間隔に配置しているが、必ずしもこれに限定されるものではなく、例えば全てをランダムに配置して構成してもよい。
【００４０】
続いて、図５（ａ）及び（ｂ）を用いて棚板７の底面（裏面）の構造を詳細に説明する。図５（ａ）及び（ｂ）は、棚板７の底面の構造を示す図であって、図５（ａ）は、棚板７の底面を示す底面図であり、図５（ｂ）は、棚板７に対するゴム脚２７と滑り止め２５との固定構造を示す断面図である。本実施形態に用いる棚板７の底面には、ゴム脚２７が備わっており、梁５との係合状態の維持及び棚板７を床面等に置いた際の滑り止めを好適に行うことができる。
【００４１】
ゴム脚２７は、例えばシリコンゴム等の樹脂材料で形成された薄い板厚の部品であって、図５（ａ）に示すとおり、棚板７の底面に所定の間隔で略格子状に配設されている。棚板７を床面等に置いた際、このゴム脚２７（滑り止め）が床面に当接することでグリップ力が向上するため、例えば棚板７単体を床面に配置して容易に給餌を行うことも可能である。
【００４２】
また、係止部２３の一部に対しても当該ゴム脚２７が形状に沿って配設されており、上述のとおり梁５との係合を維持することができる。
【００４３】
本実施形態においては、図５（ｂ）に示すとおり、上述した滑り止め２５とゴム脚２７とが、棚板７表裏を連通する孔２９を介して一体的に形成し、双方にて固定されている構造を有している。これにより、複数個の滑り止め２５を容易に取り扱うことができる。また、棚板７に対して例えば接着剤等で貼り付ける場合と比してより強固に双方を固定することができ、剥がれ等による脱落を防止することができる。
【００４４】
３．愛玩動物用給餌台１の組み立て
次に、図６を用いて本実施形態における愛玩動物用給餌台１の組み立て方法について詳細に説明する。図６は、本実施形態における愛玩動物用給餌台１の組み立て方法を説明する模式図である。図６に示すとおり、本実施形態の愛玩動物用給餌台１は、勘弁な組み立て方法を実施することのみで構成することができる。
【００４５】
まず、二本の梁５を間に挟みつつ、二枚の側板３を対向させる。双方の側板３に備えられた梁固定用孔９の内、使用者が選択して決定した孔を介して固定用ビス５３を外側から挿入し、梁５のビス孔２１に螺子勘合する。上記手順で双方の側板３と二本の梁５とを固定を完了することにより、棚板７を配設するための棚が構成される。なお、二本の梁５の高さを異にして配設する場合は、奥行方向Ｚに対してどちらを上方配置又は下方配置にしてもよく、使用状況に応じて適宜決定することができる。
【００４６】
続いて、棚板７の配膳面１７を上方に向けつつ、二本の梁５に接近させて係止部２３を双方の梁５に係合させる。このとき、二本の梁５双方を同様の高さで固定している場合は、棚板７を上方から下方に降ろして配設させればよいが、二本針５双方の高さを異にして固定している場合は、係止部２３と梁５とが確実に係合するよう上方から斜め下方へ降ろして配設することが望ましい。なお、給餌用食器５１の脱落をより確実に防止するためには堤部１５Ａを下方に位置して配設することが望ましいが、必ずしもこれに限定されず、使用状況に応じて配設方向を適宜決定することができる。
【００４７】
上記の手順を完了することにより、本実施形態における愛玩動物用給餌台１の組み立てが完了する。
【００４８】
４．愛玩動物用給餌台１の使用方法
続いて、図７（ａ）及び（ｂ）と、図８と、を用いて本実施形態における愛玩動物用給餌台１の使用方法について詳細に説明する。図７（ａ）及び（ｂ）は、本実施系形態における愛玩動物用給餌台１の使用方法を示す図であって、図７（ａ）は、棚板７を床面に対して傾斜配設した状態の断面図であり、図７（ｂ）は、棚板７を床面に対して水平配置した状態の断面図である。また、図８は、棚板７を傾斜した際の給餌用食器５１と餌５５の寄りを示す模式図である。
【００４９】
上述のとおり、本実施形態の愛玩動物用給餌台１は、使用者が棚板７の配置角度を斜め又は水平から選択して決定することができる。図７（ａ）に示すとおり、側板３に対する二本の梁５双方の固定高さを異にすることにより、棚板７を奥行方向Ｚに傾斜させることができる。
【００５０】
本実施形態では二本の梁５双方の高さ位置の相違範囲を、縦に配置した複数の梁固定用孔９を一つ分としているが、必ずしもこれに限定されるものではなく、上述した棚板の係止部２３の溝幅Ｌ６及び離間距離Ｌ５を変更して形成することで対応することが可能である。
【００５１】
また、図７（ｂ）に示すとおり、側板３に対する二本の梁５双方の固定高さを同様にすることにより、棚板７を床面に対して平行に配設させることができる。よって、本実施形態の愛玩動物用給餌台１は、従来とおりの使用法を用いることも可能なため、状況に応じて使用者が棚板７の傾斜を最適な状態に変更することができる。
【００５２】
図８に示すとおり、棚板７を傾斜して使用することにより、給餌用食器５１が傾いて奥行方向Ｚの手前側Ｐ１に寄って縁部１５と当接する。このため、給餌用食器５１内に入れた餌５５が同様に手前側Ｐ１に寄り、愛玩動物が頭の角度調整を大きく行う必要なく、自然な体勢で食事を行うことができる。愛玩動物が自然な体勢で食事を行えるため、餌５５が口腔内から食道、そして胃内にスムーズに移送され、例えば嘔吐等を抑制することができる。
【００５３】
また、縁部１５を堤部１５Ａ側が下がるように棚板７を配設することにより、給餌用食器５１が落ちることをより確実に防止することができる。なお、愛玩動物の体高に応じ上述の梁５の固定位置を変更することで、給餌を容易に行える環境を提供することができるため、例えば愛玩動物の成長に応じて適宜調整を行うことができる。
【００５４】
以上、本実施形態における愛玩動物用給餌台１の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【産業上の利用可能性】
【００５５】
本実施形態における愛玩動物用給餌台は、愛玩動物に対して容易で安全な食事環境を構成し、愛玩動物が頭の角度調整を大きく行うことなく自然な体勢で食事を可能とするものである。
【符号の説明】
【００５６】
１      愛玩動物用給餌台
３      側板
５      梁
７      棚板
９      梁固定用孔
１１    把持孔
１３    滑り止めゴム
１５    縁部
１５Ａ  堤部
１７    配膳面
１９    把持部
２１    ビス孔
２３    係止部
２５    滑り止め
２７    ゴム脚
２９    孔
５１    給餌用食器
５３    固定用ビス
Ｌ１    離間距離
Ｌ２    離間距離
Ｌ３    長さ
Ｌ４    長さ
Ｌ５    離間距離
Ｌ６    溝幅
Ｌ７    離間距離
Ｐ１    手前側
Ｘ      横方向
Ｙ      縦方向
Ｚ      奥行方向
【図１】
2019097407.tif 000003
【図２】
2019097407.tif 000004
【図３】
2019097407.tif 000005
【図４】
2019097407.tif 000006
【図５】
2019097407.tif 000007
【図６】
2019097407.tif 000008
【図７】
2019097407.tif 000009
【図８】
2019097407.tif 000010